(57)【要約】      （修正有）【課題】農業などで背負動力散布器を背中に背負って肥料などの散布を行う作業に関し、背負動力散布器の透明で出来ている肥料タンクの中に入れた肥料などの容量を外側から鏡に写して見る際に用いる残量目視鏡を提供する。【解決手段】背負動力散布機の透明で出来ている肥料タンクの中に入れた肥料などをタンク外側から写した鏡を、背負動力散布機を背負った状態で背負者が目視出来る位置、すなわち背負動力散布機の肥料タンクを中心にして、前右側４５度付近又は前左側４５度付近に残量目視鏡を取り付けた。また、胴体上部のシャフト部を鏡支持体の穴に差し込んで鏡を固定し、胴体中部分を自由に屈折出来るフレキシブルチューブにし、胴体最下部の柱部を背負動力散布機の受け部に差し込みと引き抜きでワンタッチで背負動力散布機に着脱出来るようにした。【選択図】図２
0003142336.tif 000002
【実用新案登録請求の範囲】
【請求項１】
背負動力散布機の透明で出来ている肥料タンクの中に入れた肥料などをタンク外側から写した鏡を、背負動力散布機を背負った状態で背負い者が目視出来る位置、すなわち背負動力散布機の肥料タンクを中心にして、前右側４５度付近又は前左側４５度付近に取り付けたことを特徴とする背負動力散布機、背負散布機及び背負動力噴霧機、背負噴霧機取付用の残量目視鏡。
【請求項２】
胴体上部のシャフト部を鏡支持体の穴に差し込んで鏡を固定し、胴体中部分が自由に屈折出来るフレキシブルチューブで出来ており、胴体最下部の柱部を背負動力散布機の受け部に差し込み及び引き抜きで背負動力散布機にワンタッチで着脱出来ることを特徴とする請求項１記載の残量目視鏡。
【考案の詳細な説明】
【技術分野】
【０００１】  この考案は、農業などで背負動力散布機を背中に背負って肥料などの散布を行う作業に関し、背負動力散布機の透明で出来ている肥料タンクの中に入れた肥料などの容量を外側から鏡に写して見る際に用いる残量目視鏡の形状に関する。
【背景技術】
【０００２】  背負動力散布機の肥料タンク内の肥料などの容量は、背負動力散布機を作業者が背負った状態では見えない為、散布作業をしていくうちに肥料容量がだんだん少なくなって来て、残り散布区域の広さとタンク内の肥料などの残量が合わず、その都度肥料などが不足したり、余ったりして作業効率が非常に悪かった。従来まで作業者が肥料タンク内の肥料残量を常に直接目で見て把握出来るものは無く、又タンク内の肥料などが無くなるとセンサーの感知で背負動力散布機のエンジン音が自動的に変化して作業者に知らせるものはあった。
【考案の開示】
【考案が解決しようとする課題】
【０００３】  しかしながら以上の技術によれば、肥料タンク内に残っている肥料の残量を知らせるものではないので、肥料タンク内の残量は常に作業者は把握出来ず、残り散布区域の広さとタンク内の肥料などの残量が合わず、その都度肥料などが不足し補充したり、余ったりして作業効率が非常に悪く大変であった。そこでこの考案は、作業者が常に肥料タンク内の肥料残量を把握出来ていれば、順次散布していく区域に対し、背負動力散布機のエンジンアクセルの加減や噴射ノズル口の開閉加減で散布容量を調整したりして、肥料などの不足や補充が生じないようにすることが出来るので、そのための残量目視鏡を提供することを課題とする。合わせてその残量目視鏡は背負動力散布機の外側に取り付けることから、作物など外部のものに接触した時に破損をしにくい形態であることと、背負動力散布機を使用しない保管時などでの破損防止のために、背負動力散布機から簡単に着脱出来る形状であることを提供することを課題とする。
【課題を解決するための手段】
【０００４】  以上の課題を解決するために、第一考案は、背負動力散布機の透明で出来ている肥料タンクの中に入れた肥料などをタンク外側から写した鏡を、背負散布機を背負った状態で背負者が目視出来る位置、すなわち背負散布機の肥料タンクを中心にして、前右側４５度付近又は前左側４５度付近に残量目視鏡を取り付けた。また、第二考案は、胴体上部のシャフト部を鏡支持体の穴に差し込んで鏡を固定し、胴体中部分が自由に屈折出来るフレキシブルチューブを使用して、胴体最下部の柱部を背負動力散布機に付いている受け部に差し込みと引き抜きでワンタッチで背負動力散布機に着脱出来るようにしたことを特徴とする残量目視鏡である。
【考案の効果】
【０００５】  第一考案によれば、作業者が常に残量目視鏡を見て肥料タンク内の肥料残量を把握出来るので、順次散布していく区域に対し、背負動力散布機のエンジンアクセルの加減や噴射ノズル口の開閉加減で散布容量を調整したりして散布区域量と残量とを合致させることで、肥料などの不足や補充が生じないようにすることが出来るし、合わせてまだどの位の残量が残っているのかを確かめる為に、背負動力散布機を背中よりわざわざ降ろして肥料タンクを見て見る必要も無くなる。又第二考案によれば、残量目視鏡は背負動力散布機の外側に取り付けることから、胴体中部分を自由に屈折出来るフレキシブルチューブにしたので、作物など外部のものに接触した時に自由に屈折するので破損しにくい。合わせて胴体最下部の柱部を背負動力散布機に付いている受け部に差し込みと引き抜きでワンタッチで背負動力散布機に着脱出来るようにしたので、使用しないで保管して置く時などは簡単に外して置くことが出来るので、外部の物などの接触による破損の心配はない。
【考案を実施するための最良の形態】
【０００６】  この考案の実施形態を図面に基づき説明する。
図１は本考案の残量目視鏡３を背負動力散布機の前右側に取り付けたことを表した正面図であり、１は一般に市販されている背負動力散布機であり、２は外枠が透明で出来ている肥料タンクである。４は鏡保持体であり、７は８のフレキシブルチューブ（螺旋管）と一体で出来ているシャフト部であり、９は柱部で８のフレキシブルチューブと一体で出来ている。１１は１の背負動力散布機に取り付いている保持金具で、９の柱部を差し込む１０の柱保持部と一体で出来ている。図２は本考案の残量目視鏡３を背負動力散布機の前右側４５度付近に取り付けたことを表した平面図であり、１の背負動力散布機に取り付いている１１の保持金具と一体に出来ている１０の柱保持部に本考案の残量目視鏡３の最下部を差し込んだ状態の平面図である。８は３の残量目視鏡の胴体中部分のフレキシブルチューブであり、４は鏡保持体で、５は鏡である。本図で表しているように、１の背負動力散布機の前左側にも、本考案の残量目視鏡３を取り付けることが出来る。図３は本考案の残量目視鏡３の実施形態を表した斜視図である。４は鏡保持体で、５は鏡で、６はシャフト部７を差し込む穴部である。８は３の残量目視鏡の胴体中部分のフレキシブルチューブであり、９は８のフレキシブルチューブと一体で出来ている柱部である。保持金具１１はネジ１２により背負動力散布機に取り付いており、１０の柱保持部と一体で出来ている。
【実施形態の効果】
【０００７】この実施形態によれば、背負動力散布機の透明で出来ている肥料タンクの中に入れた肥料などをタンク外側から写した鏡を、背負動力散布機を背負った状態で背負者が目視出来る位置、すなわち背負動力散布機の肥料タンクを中心にして、前右側４５度付近又は前左側４５度付近に残量目視鏡を取り付けたことにより、作業者が常に残量目視鏡を見て肥料タンク内の肥料残量を把握出来るので、順次散布していく区域に対し、背負動力散布機のエンジンアクセルの加減や噴射ノズル口の開閉加減で散布容量を調整したりして散布区域量と残量とを合致させることで、肥料などの不足や補充が生じないようにすることが出来るし、合わせてまだどの位の残量が残っているのかを確かめる為に、背負動力散布機を背中よりわざわざ降ろして肥料タンクを見て見る必要も無くなる。また、残量目視鏡は背負動力散布機の外側に取り付けたことから、胴体上部のシャフト部を鏡支持体の穴に差し込んで鏡を固定し、胴体中部分を自由に屈折出来るフレキシブルチューブにしたことから、作物など外部のものに接触した時に破損をしにくい形態になった。また胴体最下部の柱部を背負動力散布機の受け部に、差し込みと引き抜きでワンタッチで背負動力散布機に着脱出来るようにしたことから、使用しない時など保管時の破損防止に繋げることが出来る。
【他の実施形態】
【図０００８】
図１の実施形態では、本考案の残量目視鏡３の胴体中部分をフレキシブルチューブ（螺旋管）としたが、別の実施形態として、芯に軟弱性金属を使用し、その外側にプラスチック成型でヒダの連続形状で被服したものを使用してもよい。
【図面の簡単な説明】
【０００９】
【図１】本考案の実施形態を表した正面図である。
【図２】本考案の実施形態を表した平面図である。
【図３】本考案の実施形態を表した斜視図である
【符号の説明】
【００１０】１  背負動力散布機    ２  肥料タンク      ３  残量目視鏡      ４  鏡保持体
７  シャフト部        ８  フレキシブルチューブ（螺旋管）      ９  柱部
１０  柱保持部      １１  保持金具
（符号の説明）
１  背負動力散布機      ３  残量目視鏡            ４  鏡保持体      ５  鏡
８  フレキシブルチューブ    １０  柱保持部      １１  保持金具
（符号の説明）
３  残量目視鏡      ４  鏡保持体    ５  鏡      ６  鏡保持体の穴部
７  シャフト部      ８  フレキシブルチューブ    ９  柱部    １０  柱保持部
１１  保持金具    １２  ネジ
【図１】
0003142336.tif 000003
【図２】
0003142336.tif 000004
【図３】
0003142336.tif 000005